(57)【特許請求の範囲】
【請求項１】
定電流源に接続される正極側電流探針と負極側電流探針との間に、電圧検出手段に接続される正極側電圧探針と負極側電圧探針とが、上記各電流探針を結ぶ仮想の直線に沿って並べられた状態で、上記４本の探針が電気絶縁性のピンボードに植設されている４探針測定プローブのゼロアジャスト補正治具において、
電気絶縁材からなる基板の片面に上記４本の探針が同時に接触可能な面積をもって形成された導体膜を有し、上記導体膜のうち、上記正極側電圧探針と上記負極側電圧探針とが接触する電圧探針接触領域の周りには、上記定電流源より上記正極側電流探針から上記負極側電流探針に向けて流れる測定電流が上記電圧探針間を流れないようにするための電流バリアが形成されていることを特徴とするゼロアジャスト補正治具。
【請求項２】
上記電流バリアは上記電圧探針接触領域の全周を囲む環状ではなく、上記電圧探針接触領域と、その外側に存在する上記各電流探針が接触する電流探針接触領域とが導通していることを特徴とする請求項１に記載のゼロアジャスト補正治具。
【発明の詳細な説明】
【技術分野】
【０００１】
本発明は、四端子測定用の４探針がピンボードに植設（貫設）されている４探針測定プローブのゼロアジャスト補正治具に関するものである。
【背景技術】
【０００２】
図２に示すように、四端子測定法による抵抗測定装置は、基本的な構成として、被測定抵抗体Ｒｘに測定電流を供給する定電流源１００と、その測定電流により被測定抵抗体Ｒｘに生ずる電圧降下分を測定する電圧測定手段（電圧計）２００と、演算制御部（ＣＰＵ）３００とを備え、演算制御部３００は、定電流源１００から供給それる測定電流をＩ、電圧測定手段２００にて測定された電圧をＶとして、被測定抵抗体Ｒｘが有する抵抗率ＲをＲ＝Ｆ×Ｖ／Ｉにより求める（Ｆは所定の補正係数）。
【０００３】
この抵抗測定には、定電流源１００の正極（Ｈｉ）と負極（Ｌｏ）とに接続される電流供給側端子１０１，１０２と、電圧測定手段２００の正極（Ｈｉ）と負極（Ｌｏ）とに接続される電圧検出端子２０１，２０２の合計４本の端子が用いられる。
【０００４】
測定に先立って、種々の補正（調整）が行われるが、その一つにゼロアジャスト補正（ショート補正とも言う）がある。ゼロアジャスト補正は、電圧検出端子２０１，２０２との間を０Ωとして測定を行い、そのとき電圧測定手段（電圧計）２００に表示されるオフセット分を差し引いてゼロ点を調整する。
【０００５】
各端子１０１，１０２：２０１，２０２がワニ口クリップであれば、例えば特許文献１の図１２（ａ）（ｂ）に示されているように、電圧検出端子２０１，２０２が直に接触するように、一対のワニ口クリップをかみ合わせれば、ゼロアジャスト補正を行うことができる。
【０００６】
これに対して、各端子１０１，１０２：２０１，２０２が、単独のプローブピン（本明細書では、「探針」と言う）からなる場合には、４探針測定プローブとして、図３に示すように、定電流源１００に接続される正極側電流探針１０１と負極側電流探針１０２との間に、電圧検出手段２００に接続される正極側電圧探針２０１と負極側電圧探針２０２とが、各電流探針１０１，１０２を結ぶ仮想の直線に沿って並べられた状態で、４本の探針１０１，１０２：２０１，２０２が電気絶縁性のピンボードＰＢに植設（貫設）されることになる。
【０００７】
この一体型４探針測定プローブでは、ゼロアジャスト補正を行う場合、電圧探針２０１，２０２を直に接触させることができないため、従来では、図４に示すような補正治具１を用いている。
【０００８】
この補正治具１は、電気絶縁材からなる基板２の片面に、４本の探針１０１，１０２：２０１，２０２を同時に接触し得る面積をもって形成された導体３を備えている。この場合、導体３には、通常、抵抗率が小さい比較的厚めの導体基層の表面に金メッキが施された導体が用いられる。
【０００９】
これによれば、導体３上に４本の探針１０１，１０２：２０１，２０２を同時に接触させ、定電流源１００より正極側電流探針１０１から負極側電流探針１０２に向けて測定電流を流した状態で、正極側電圧探針２０１と負極側電圧探針２０２間の電圧を電圧測定手段２００にて測定することにより、その電圧測定値をオフセット値としてゼロアジャスト補正を行うことができる。
【先行技術文献】
【特許文献】
【００１０】
【特許文献１】特開２０１２−２５５７３９号公報
【発明の概要】
【発明が解決しようとする課題】
【００１１】
しかしながら、上記の補正治具１にあっては、導体３として、比較的厚めの導体基層の表面に金メッキを施すようにしているため、コスト的に好ましくない。また、探針の繰り返しの接触によって金メッキが剥がれ易いことから耐久性にかける。
【００１２】
さらには、金メッキで抵抗値が小さいとは言え、電圧探針２０１，２０２の間には抵抗値が存在するため、正確な意味でのゼロアジャスト補正とは言えない。
【００１３】
したがって、本発明の課題は、四端子測定用の４探針がピンボードに植設（貫設）されている４探針測定プローブを対象として、正確なゼロアジャスト補正（ショート補正）が行えるようにしたゼロアジャスト補正治具を提供することにある。
【課題を解決するための手段】
【００１４】
上記課題を解決するため、本発明は、定電流源に接続される正極側電流探針と負極側電流探針との間に、電圧検出手段に接続される正極側電圧探針と負極側電圧探針とが、上記各電流探針を結ぶ仮想の直線に沿って並べられた状態で、上記４本の探針が電気絶縁性のピンボードに植設されている４探針測定プローブのゼロアジャスト補正治具において、
電気絶縁材からなる基板の片面に上記４本の探針が同時に接触可能な面積をもって形成された導体膜を有し、上記導体膜のうち、上記正極側電圧探針と上記負極側電圧探針とが接触する電圧探針接触領域の周りには、上記定電流源より上記正極側電流探針から上記負極側電流探針に向けて流れる測定電流が上記電圧探針間を流れないようにするための電流バリアが形成されていることを特徴としている。
【００１５】
本発明の好ましい態様によると、上記電流バリアは上記電圧探針接触領域の全周を囲む環状ではなく、上記電圧探針接触領域と、その外側に存在する上記各電流探針が接触する電流探針接触領域とが導通している。
【発明の効果】
【００１６】
本発明によれば、電気絶縁材からなる基板の片面に形成された導体膜のうち、正極側電圧探針と負極側電圧探針とが接触する電圧検出領域の周りに、定電流源より正極側電流探針から負極側電流探針に向けて流れる測定電流が電圧探針間を流れないようにするための電流バリアが形成されていることにより、電流探針間に測定電流を流したとしても、電圧探針間には電圧が発生しないため、０Ｖ時の電圧測定手段（電圧計）の表示値（読み値）をオフセット値として得ることができる。
【００１７】
また、電流バリアは電圧探針接触領域の全周を囲む環状ではなく、電圧探針接触領域と、その外側に存在する上記各電流探針が接触する電流探針接触領域とが導通している態様においては、四端子法による抵抗測定装置が断線検出機能（プローブが被測定抵抗体に接触していない状態を検出する機能）を有する場合、その断線検出機能を働かせることなく、ゼロアジャスト補正を行うことができる。
【図面の簡単な説明】
【００１８】
【図１】本発明の実施形態に係るゼロアジャスト補正治具を示す平面図。
【図２】四端子法による抵抗測定装置の構成を概略的に示す模式図。
【図３】４探針測定プローブの構成を示す模式的な正面図。
【図４】従来のゼロアジャスト補正治具を示す平面図。
【発明を実施するための形態】
【００１９】
次に、図１により、本発明の実施形態について説明するが、本発明はこれに限定されるものではない。なお、本発明のゼロアジャスト補正治具は、先に説明した図３の４探針測定プローブ（４本の探針１０１，１０２：２０１，２０２を直線的に配列してピンボードＰＢに植設（貫設）した測定プローブ）に適用される。
【００２０】
図１に示すように、この実施形態に係るゼロアジャスト補正治具１０は、電気絶縁材からなる基板１１と、基板１１の片面に形成された導体膜１２とを備えている。このゼロアジャスト補正治具１０として、プリント回路基板用の銅張り積層基板が用いられてよい。
【００２１】
導体膜１２は、図３に示した４探針測定プローブが備えている４本の探針１０１，１０２：２０１，２０２が同時に接触し得る面積を有している。
【００２２】
このうち、正極側電圧探針２０１と負極側電圧探針２０２とが接触する電圧探針接触領域１２ａの周りには、定電流源１００より正極側電流探針１０１から負極側電流探針１０２に向けて流れる測定電流の電圧探針接触領域１２ａへの流れ込みを阻止する電流バリア１３が形成されている。
【００２３】
電流バリア１３は電流が流れない電気絶縁領域で、ゼロアジャスト補正治具１０に例えば銅張り積層基板が用いられる場合には、その銅箔をエッチング等により除去することにより形成することができる。
【００２４】
電流バリア１３を環状として、電圧探針接触領域１２ａと、正極側電流探針１０１と負極側電流探針１０２とが接触する電流探針接触領域１２ｂとを電気的に分離すれば、電流探針１０１，１０２間に測定電流を流しても、電圧探針２０１，２０２間を確実に０Ｖ状態とすることができ、ゼロアジャスト補正用の正確なオフセット値を得ることができる。
【００２５】
しかしながら、電流バリア１３を環状とした場合、電流探針１０１，１０２と電圧端子２０１，２０２とが電気的に切り離され、これは実際の測定において、探針が被測定抵抗体に接触していない断線（オープン）状態を意味し、抵抗測定装置が断線検出機能を有している場合、測定値が表示されないことになる（断線検出機能を有する四端子測定法による抵抗測定装置については、例えば特開２００５−６９７８６号公報参照）。
【００２６】
そこで、断線検出機能を働かせないようにするため、電流バリア１３を環状ではなく、電流バリア１３の形成時に、その一部分に導体膜１２の一部１２ｃを残し、電流バリア１３を図１に示すようなＣ字状に形成して、電圧探針接触領域１２ａと電流探針接触領域１２ｂとを導通状態とする。
【００２７】
これによれば、４本の探針１０１，１０２：２０１，２０２をゼロアジャスト補正治具１０に同時に接触した場合、正極側電流探針１０１と正極側電圧探針２０１とが導通、また、負極側電流探針１０２と負極側電圧探針２０２とが導通し、図２の測定状態となるため、断線検出機能は働かないことになる。
【００２８】
なお、電流バリア１３は、図１に示したＣ字状に限定されるものではなく、測定電流が電圧探針２０１，２０２間には流れず、かつ、電圧探針接触領域１２ａと電流探針接触領域１２ｂとが導通するような形状であればよい。
【符号の説明】
【００２９】
１０  ゼロアジャスト補正治具
１１  電気絶縁材基板
１２  導体膜
１２ａ  電圧探針接触領域
１２ｂ  電流探針接触領域
１３  電流バリア
１００  定電流源
１０１，１０２  電流探針
２００  電圧測定手段（電圧計）
２０１，２０２  電圧探針
【図１】
0006472687.tif 000002
【図２】
0006472687.tif 000003
【図３】
0006472687.tif 000004
【図４】
0006472687.tif 000005